(57)【要約】【課題】本発明は、携帯性及び操作性を兼ね備えた従来より一段と優位性のあるヘッドホン装置を提案する。【解決手段】本発明は、ヘッドホン２と、そのコード２Ｃを筐体３内に巻き取るように付勢した構造で筐体３内に取付けられた巻取機構２０と、ユーザに装着するための所定機構で筐体３に設けられたカラビナ５と、ヘッドホン２に対して音声信号を供給するための携帯型音楽プレーヤＰＬを機械的に連結すべく筐体３又はカラビナ５に取り付けられた松葉紐８とを設けることにより、携帯型音楽プレーヤＰＬと筐体３が松葉紐８により連結された状態でユーザに装着された際、松葉紐８を介してユーザに装着された時に携帯型音楽プレーヤＰＬと筐体３とが連結されているため、ユーザ装着時における携帯型音楽プレーヤＰＬの動きの自由度が少ない分だけ煩わしさを軽減し、かつユーザの身に付けた状態のため携帯型音楽プレーヤＰＬに対する操作性が損なわれずに済む。【選択図】図１
2008098925.tif 000002
【特許請求の範囲】
【請求項１】
ヘッドホンと、
上記ヘッドホンのヘッドホンコードを筐体内に巻き取るように付勢した構造でなり、当該筐体内に取り付けられた巻取機構と、
ユーザに対して装着するための所定機構でなり、上記筐体に設けられた装着部と、
上記ヘッドホンに対して音声信号を供給するための電子機器を機械的に連結するべく上記筐体又は上記装着部に取り付けられた連結部と
を具えることを特徴とするヘッドホン装置。
【請求項２】
上記筐体は、上記電子機器と接続するための接続コードの長さを調整可能な長さ調整機構を有している
ことを特徴とする請求項１に記載のヘッドホン装置。
【請求項３】
上記筐体は、上記電子機器と接続するための接続コードの長さを調整可能な円形状の長さ調整機構を有し、その円形状の内側に、上記巻取機構を動作させるための巻取ボタンが配置されている
ことを特徴とする請求項１に記載のヘッドホン装置。
【請求項４】
上記筐体は、上記接続機器と接続するための接続コードとして伸縮自在のカールコードを有している
ことを特徴とする請求項１に記載のヘッドホン装置。
【請求項５】
上記筐体は、上記巻取機構によって上記ヘッドホンコードを巻き取った際、当該ヘッドホンコードの先端に設けられている耳装着部の大半を当該筐体内に収納可能とする大きさの開口部が形成されている
ことを特徴とする請求項１に記載のヘッドホン装置。
【請求項６】
上記筐体は、上記巻取機構によって上記ヘッドホンコードが巻き取られた際、当該ヘッドホンコードの先端に設けられている耳装着部を保持する保持手段が当該筐体の表面に形成されている
ことを特徴とする請求項１に記載のヘッドホン装置。
【請求項７】
上記筐体は、その筐体の表面に対して、上記電子機器と衝突したときに上記筐体を保護するための保護手段が被覆されている
ことを特徴とする請求項１に記載のヘッドホン装置。
【請求項８】
上記連結手段は、紐であり、上記装着部に取り付けられている
ことを特徴とする請求項１に記載のヘッドホン装置。
【請求項９】
上記連結手段は、上記筐体の下方に取り付けられた紐保持部によって保持された紐であり、上記紐保持部が上記筐体から取り外されたとき当該紐の長さを調整可能なように当該紐保持部に保持されている
ことを特徴とする請求項１に記載のヘッドホン装置。
【請求項１０】
上記筐体は、上記電子機器と接続するための接続コードの長さを調整可能な円形状の長さ調整機構を有し、その円形状の内側に、上記巻取機構を動作させるための巻取ボタンが配置されている
ことを特徴とする請求項１に記載のヘッドホン装置。
【請求項１１】
ヘッドホンと、
上記ヘッドホンのヘッドホンコードを筐体内に巻き取るように付勢した構造でなり、当該筐体内に取り付けられた巻取機構と、
ユーザに対して装着するための所定機構でなり、上記筐体に取り付けられたフックと、
上記ヘッドホンに対して音声信号を供給するための電子機器を機械的に連結するべく上記筐体又は上記装着部に取り付けられた連結部と
を具えることを特徴とするヘッドホン装置。
【請求項１２】
ヘッドホンと、
上記ヘッドホンのヘッドホンコードを筐体内に巻き取るように付勢した構造でなり、当該筐体内に取り付けられた巻取機構と、
ユーザに対して装着するための所定機構でなり、上記筐体と一体に設けられたフックと、
上記ヘッドホンに対して音声信号を供給するための電子機器を機械的に連結するべく上記筐体又は上記装着部に取り付けられた連結部と
を具えることを特徴とするヘッドホン装置。
【請求項１３】
上記筐体は、当該筐体と略逆Ｕ字状でなる上記フックとが一体形成されており、上記フックの内側に上記ヘッドホンコードの開口部が配されている
ことを特徴とする請求項１２に記載のヘッドホン装置。
【発明の詳細な説明】
【技術分野】
【０００１】
本発明は、ヘッドホン装置に関し、例えば携帯型音楽プレーヤに対して用いられるコード巻取機構付きヘッドホンに適用して好適なものである。
【背景技術】
【０００２】
従来、電源や音声信号を伝達するためのコードが取り付けられた製品において、そのコードを巻き取るコード巻取機構を設けることは一般的であるが、ヘッドホンや、当該ヘッドホンにマイクロフォンが取り付けられたヘッドセットにおいても、収納時におけるコードの絡み防止を主目的として、コード巻取機構を設けることは珍しくなくなっている（例えば、特許文献１参照）。
【０００３】
そういった中、携帯電話機の多機能化や、数百又は数千の楽曲を再生する携帯型音楽プレーヤ等の各種携帯機器の進化によって、一段と便利な携帯性を考慮した使用方法がヘッドホンに対しても求められている。
【０００４】
そもそもヘッドホンにおいては、ユーザの首からストラップを介して胸元に吊り下げられた携帯型音楽プレーヤに接続したり、衣服の胸ポケットや鞄の中に入れられた携帯型音楽プレーヤに接続することにより用いられることが多い。
【特許文献１】特開2005-311777公報
【発明の開示】
【発明が解決しようとする課題】
【０００５】
ところでかかる構成のヘッドホンにおいては、ユーザの首からストラップを介して胸元に吊り下げられた携帯型音楽プレーヤに接続して用いられる場合、携帯型音楽プレーヤがペンダント等に比べて比較的重いため、ユーザに違和感を生じさせたり、階段昇降時等に胸への圧迫感を感じさせたり、上着を脱ぐときに邪魔であり、屈んだ状態で手を洗うときに水に浸かりそうになる等、不便なことが多いという問題があった。
【０００６】
またヘッドホンにおいては、衣服の胸ポケットに入れられた携帯型ディジタルオーディオプレーヤに接続して用いられる場合、屈んだ際に携帯型ディジタルオーディオプレーヤが落下する恐れや、重さや大きさ等の制限により着用する洋服の制限があるという問題があった。
【０００７】
さらにヘッドホンにおいては、鞄の中に入れられた携帯型音楽プレーヤに接続して用いられる場合、携帯型音楽プレーヤを入れるために使用する鞄の形にも制約を受け、鞄の中に入れられた状態では、曲名表示や、音量・選曲操作等の便利な機能に対する操作を行い難いという問題もあった。
【０００８】
本発明は以上の点を考慮してなされたもので、携帯性と操作性とを兼ね備えた従来よりも一段と優位性のあるヘッドホン装置を提案しようとするものである。
【課題を解決するための手段】
【０００９】
かかる課題を解決するため本発明においては、ヘッドホンと、当該ヘッドホンのヘッドホンコードを筐体内に巻き取るように付勢した構造でなり、当該筐体内に取り付けられた巻取機構と、ユーザに対して装着するための所定機構でなり、筐体に設けられた装着部と、ヘッドホンに対して音声信号を供給するための電子機器を機械的に連結するべく筐体又は装着部に取り付けられた連結部とを設けることにより、電子機器と筐体とが連結部によって連結された状態でユーザに装着されたとき、装着部を介してユーザに装着された時に電子機器と筐体とが連結されているため、ユーザ装着時における電子機器の動きの自由度が少ない分だけ煩わしさを大幅に軽減し、かつユーザの身に付けた状態であるため電子機器に対する操作性が損なわれずに済むという利点がある。
【発明の効果】
【００１０】
本発明によれば、電子機器と筐体とが連結部によって連結された状態でユーザに装着されたとき、装着部を介してユーザに装着された時に電子機器と筐体とが連結されているため、ユーザ装着時における電子機器の動きの自由度が少ない分だけ煩わしさを大幅に軽減し、かつユーザの身に付けた状態であるため電子機器に対する操作性が損なわれずに済むという利点があり、かくして携帯性と操作性とを兼ね備えた従来よりも一段と優位性のあるヘッドホン装置を実現することができる。
【発明を実施するための最良の形態】
【００１１】
以下、図面について、本発明の一実施の形態を詳述する。
【００１２】
（１）第１の実施の形態
（１−１）第１の実施の形態におけるヘッドホン装置の外観構成
図１乃至図３において、１は全体として本発明における第１の実施の形態におけるヘッドホン装置を示し、ヘッドホン２のヘッドホンコード（図示せず）が円筒形状でなる筐体３内の巻取機構（図示せず）によって巻き取られた状態であり、筐体３の上端部に設けられた皮製のホルダ４を介してユーザ装着用のフックとして用いられるカラビナ５が取り付けられた構造を有している。
【００１３】
ここで、図４（Ａ）及び（Ｂ）に示すようにカラビナ５は、略三角形状でなり、そのうちの一部の腕部５Ａが支点５Ｂを中心に三角形の内側へ折り曲がる構造を有し、通常は支点５Ａの内部に設けられたバネ（図示せず）の不勢力によって腕部５Ａが三角形の一辺を形成するように位置しているが、ユーザによって押されたときは、その不勢力に抗して腕部５Ａが三角形の内側へ折り曲がり、例えばズボンのベルト通しに取り付けられてユーザに装着され得るようになされている。
【００１４】
なおカラビナ５は、ズボンのベルト通しに取り付けられ、かつ筐体３を保持することを想定しているが、必ずしも、それだけでなく、ヘッドホン２に対して音楽信号等を供給する例えば携帯型音楽プレーヤ（図示）が松葉紐８（図１〜図３）を介して当該カラビナ５に取り付けられたり、当該カラビナ５に鍵、その他の物が取り付けられることまでも想定した強度に形成されている。
【００１５】
またヘッドホン装置１では、筐体３の上端部に設けられた矩形状の開口部３Ａを介してヘッドホン２の先端部分である耳装着部２Ａ及び２Ｂが保持されており、開口部３Ａよりも耳装着部２Ａ及び２Ｂのサイズが大きいために、巻取ボタン９（図２及び図３）に対する下方へのスライド操作に応じて筐体３内部の巻取機構が動作することによりヘッドホン２のヘッドホンコードが巻き取られた際、当該ヘッドホン２の耳装着部２Ａ及び２Ｂが筐体３の内部に収納されてしまい、取り出せなくなることを未然に防止するようになされている。
【００１６】
更にヘッドホン装置１は、筐体３の表面にゴム製の保護カバー６が取り付けられており、これによりカラビナ５を介して筐体３と携帯型音楽プレーヤ（図示せず）とが並んだ状態で取り付けられた際、筐体３と携帯型音楽プレーヤとが接触したり、衝突したときに、双方に傷が付くこと、及び双方が破損することを未然に防止するようになされている。
【００１７】
ところで、図５に示すようにヘッドホン装置１は、保護カバー６が被覆されていない筐体３の裏面３Ｂに設けられた巻取ボタン９の近傍から、例えば携帯型音楽プレーヤ（図示せず）等の電子機器と電気的に接続するための所定コード長さでなる接続コード７が引き出されている。
【００１８】
一方、筐体３を被覆する保護カバー６は、ほぼ中央部に巻取ボタン９がスライド操作されたときの移動範囲に対応した大きさの縦長楕円形状でなるスライド操作穴６Ａが形成され、その上端部に筐体３の開口部３Ａよりも大きなサイズの開口部６Ｂが形成されていると共に、筐体３の接続コード７と対応した位置にコード穴６Ｃが形成されている。
【００１９】
このヘッドホン装置１では、筐体３に保護カバー６が被覆された状態で完成形となり、筐体３の接続コード７が保護カバー６のコード穴６Ｃを通って外部に露出し、巻取ボタン９がスライド操作穴６Ａを介して外部に露出すると共に、ホルダ４が保護カバー６の開口部６Ｂを介して外部に露出するようになされている。
【００２０】
また保護カバー６は、スライド操作穴６Ａの周囲に薄板状でかつドーナッツ状でなる接続コード巻付部６Ｄが当該保護カバー６の表面６Ｅから僅かに突出した状態で形成されており、図６に示すように、コード穴６Ｃから露出した接続コード７を接続コード巻付部６Ｄと表面６Ｅとの間に巻き付けられる構造となっている。
【００２１】
これによりヘッドホン装置１は、保護カバー６のコード穴６Ｃから外部に露出した接続コード７を接続コード巻付部６Ｄと表面６Ｅとの間に巻き付けることにより、その長さを短く調整し得ると共に（図２）、接続コード７を接続コード巻付部６Ｄと表面６Ｅとの間に巻き付けないときには、その長さを最大限長くした状態で用いることが出来るようになされている（図３）。
【００２２】
このとき保護カバー６が例えば弾力性のあるゴム製で形成されているため、接続コード７が保護カバー６の弾性力によって接続コード巻付部６Ｄと表面６Ｅとの間に挟み付けられた状態となって、巻き付け量によって長さ調整された任意の位置で保持されるようになされている。
【００２３】
また接続コード巻付部６Ｄは、保護カバー６の表面６Ｅから僅かに突出した状態で形成されているため、スライド操作穴６Ａの内側で露出した巻取ボタン９が接続コード巻付部６Ｄの表面から突出することがなく、不用意に巻取ボタン９が操作されてしまうことを未然に防止するようになされている。
【００２４】
更に加えて、巻取ボタン９が押下操作式のボタンではなく、スライド操作式のボタンとして設けられているため不用意に誤操作され難く、接続コード巻付部６Ｄの表面から巻取ボタン９が突出しない構造と相まって、二重の誤操作防止機構が構成されている。
【００２５】
実際上、図７に示すようにヘッドホン装置１は、保護カバー６によって被覆された筐体３がホルダ４を介してカラビナ５に取り付けられ、かつそのカラビナ５に対し松葉紐８を介して携帯型音楽プレーヤＰＬが連結されている。
【００２６】
そしてヘッドホン装置１では、保護カバー６のコード穴６Ｃから露出した接続コード７のプラグ７Ａを携帯型音楽プレーヤＰＬのジャックＰＬＪに差し込むことにより、当該ヘッドホン装置１と携帯型音楽プレーヤＰＬとを機械的かつ電気的にも接続し得るようになされている。
【００２７】
従ってヘッドホン装置１は、この状態でカラビナ５がズボンのベルト通しに取り付けられれば、ユーザがヘッドホン装置１及び携帯型音楽プレーヤＰＬを携帯しながら、当該携帯型音楽プレーヤＰＬによって再生された音楽信号を接続コード７を介してヘッドホン２に供給し、当該ヘッドホン２の耳装着部２Ａ及び２Ｂを介してユーザに音楽を聴取させ得るようになされている。
【００２８】
（１−２）第１の実施の形態におけるヘッドホン装置の巻取機構
続いて、ヘッドホン装置１における筐体３の内部に設けられた巻取機構の構造について説明する。
【００２９】
図８及び図９に示すように、筐体３の内部に設けられた巻取機構２０は、そのほぼ中心に配置されたリール２１が所定形状でなる取付板２２を介して筐体３に取り付けられ、その取付板２２に植設された支軸２３により当該リール２１が回転可能に軸支されている。
【００３０】
リール２１（図９）の中心側下方で支軸２３の周囲に設けられた凹部２４内には、ヘッドホン２のヘッドホンコード２Ｃを巻き取るためのぜんまいバネ２５が収納されており、そのぜんまいバネ２５が収納された凹部２４が蓋部２６によって閉塞されている。
【００３１】
またリール２１の上面には、爪車３１（図８）が形成されており、その爪車３１に設けられている４個のロック用爪部３２とロックレバー３３の先端部とが係合するように当該ロックレバー３３が配設されると共に、そのロックレバー３３が取付板２２に支点ピン３４を介して軸支される。
【００３２】
またロックレバー３３は略Ｌ字状でなり、支点ピン３４の近傍部分と取付板２２の一部とがバネ３５により結合されており、通常時、このバネ３５の付勢力によって当該ロックレバー３３の先端部が爪車３１へ押し付けられるようになされている。
【００３３】
更にロックレバー３３は、筐体３のほぼ中心にスライド可能な操作ボタン３３Ａが位置し、当該操作ボタン３３Ａが下方の矢印Ａ方向へスライド操作された際、支点ピン３４を中心としてロックレバー３３が時計周りの矢印Ｂ方向へ回動し、当該ロックレバー３３の先端部と、爪車３１のロック用爪部３２との係合状態が解除される。
【００３４】
これにより巻取機構２０では、ぜんまいバネ２５によって回転されたリール２１に対してヘッドホン２のヘッドホンコード２Ｃを巻き取らせるようになされている。
【００３５】
なお図１０に示すように、ロックレバー３３の操作ボタン３３Ａは、筐体３の裏面３Ｂの外側に位置する巻取ボタン９（図２、図３、図５及び図６）と、裏面３Ｂの内側に位置する操作ボタン３３Ａとが連結された構造を有しており、巻取ボタン９に対する矢印Ａ方向へのスライド操作に応じて操作ボタン３３Ａも矢印Ａ方向へスライド動作するようになされている。
【００３６】
この場合、図１１（Ａ）に示すように、ヘッドホン装置１では、例えば筐体３をユーザの右手で持ってもらい、ヘッドホン２の耳装着部２Ａ及び２Ｂをユーザの左手で持ちながら引っ張り出すことにより、ぜんまいバネ２５の付勢力に抗してヘッドホンコード２Ｃが引き出される。
【００３７】
その途中でユーザが、ヘッドホン２のヘッドホンコード２Ｃを筐体３から引っ張り出すのを止めた場合、その時点でロックレバー３３（図８）の先端部と、爪車３１のロック用爪部３２とが係合され、ヘッドホンコード２Ｃが所定の長さに保たれることになる。
【００３８】
その後、ヘッドホン装置１では、図１１（Ｂ）に示すように、筐体３の裏側にある巻取ボタン９が下方へスライド操作された場合、ロックレバー３３の先端部と、爪車３１のロック用爪部３２との係合状態が解除され、ぜんまいバネ２５の付勢力によってヘッドホン２のヘッドホンコード２Ｃを筐体３内のリール２１に巻き取るようになされている。
【００３９】
そのときであっても、筐体３の開口部３Ａが耳装着部２Ａ及び２Ｂのサイズよりも小さく形成されているため、巻取ボタン９に対するスライド操作に応じてヘッドホンコード２Ｃがリール２１に巻き取られた際、当該ヘッドホン２の耳装着部２Ａ及び２Ｂが筐体３の開口部３Ａで保持され、筐体３の内部に収納されてしまうことがないようになされている。
【００４０】
加えてヘッドホン装置１（図８）では、ヘッドホン２のヘッドホンコード２Ｃが分岐部２Ｈから耳装着部２Ａ及び耳装着部２Ｂへ向かうコード部分２ＡＰ及び２ＢＰに分岐された２本構造となっており、その２本のコード部分２ＡＰ及び２ＢＰがヘッドホンコード２Ｃの巻取中に絡み合わないようにするための工夫が施されている。
【００４１】
具体的にヘッドホン装置１は、図１２に示すように、筐体３の内部に設けられた巻取機構２０のリール２１の幅方向に対する内側厚さｄよりも、筐体３の上端部に設けられた開口部３Ａの幅Ｄが長くなるように形成されている。
【００４２】
これによりヘッドホン装置１では、ヘッドホンコード２Ｃにおける耳装着部２Ａ及び２Ｂまでの２本のコード部分２ＡＰ及び２ＢＰがリール２１に巻き取られる際、２本のコード部分２ＡＰ及び２ＢＰにおける自由度が大きくなり、相互に絡み合うことを未然に防止し得るようになされている。
【００４３】
（１−３）動作及び効果
以上の構成において、ヘッドホン装置１では、カラビナ５を介して例えばズボンのベルト通しに筐体３を装着させることができ、その状態でヘッドホン２の耳装着部２Ａ及び２Ｂをユーザによって引っ張り出させることによりヘッドホンコード２Ｃをユーザ所望の長さに調整させることができる。
【００４４】
その状態でヘッドホン装置１は、松葉紐８によりカラビナ５に連結された携帯型音楽プレーヤＰＬにより再生される音楽をヘッドホン２の耳装着部２Ａ及び２Ｂから出力し、ユーザに聴取させることができる。
【００４５】
これによりヘッドホン装置１では、使用時、携帯型音楽プレーヤＰＬがユーザの胸元に位置することがないため、従来のように、ユーザの首からストラップを介して胸元に携帯型音楽プレーヤＰＬが吊り下げられることがなく、そのことで胸元に圧迫感を感じたり、違和感を生じさせたり、階段昇降時等に胸への圧迫感を感じさせたり、上着を脱ぐときに邪魔になったり、屈んだ状態で手を洗うときに洗面所の水に携帯型音楽プレーヤＰＬが浸かりそうになる等、不便なことを全て解消することができる。
【００４６】
またヘッドホン装置１は、従来のように、衣服の胸ポケットに入れられた携帯型音楽プレーヤＰＬに接続して用いられる場合、屈んだ際に携帯型音楽プレーヤＰＬが落下する恐れや、携帯型音楽プレーヤＰＬの重さや大きさ等の制限により着用する洋服が制限されてしまうという事態をも回避することができる。
【００４７】
さらにヘッドホン装置１は、手の位置に近いユーザの腰部で携帯型音楽プレーヤＰＬを身に付けることができるので、ユーザに対して曲名表示や、音量・選曲操作等の便利な機能に対する操作を容易に実行させることができ、当該ユーザに対する利便性を大幅に向上させている。
【００４８】
なおヘッドホン装置１は、カラビナ５を介して筐体３が取り付けられることに加えて、携帯型音楽プレーヤＰＬについても取り付けられる構造であるため、筐体３及び携帯型音楽プレーヤＰＬがカラビナ５を介して並列に取り付けられることになり、ズボンのベルト通しにカラビナ５を介して取り付けられた際、いわゆるキーホルダのように筐体３、携帯型音楽プレーヤＰＬが並ぶことになり、使用時のファッション性をも向上させることができる。
【００４９】
その後、ヘッドホン装置１は、ユーザに対して筐体３の巻取ボタン９をスライド操作させるだけで、瞬時にヘッドホン２のヘッドホンコード２Ｃを筐体３の内部に巻き取ることができる。
【００５０】
このときヘッドホン装置１では、ヘッドホン２の耳装着部２Ａ及び２Ｂを筐体３の開口部３Ａの位置で固定することができるので、ヘッドホン２及び耳装着部２Ａ及び２Ｂを保護し得ると共に、耳装着部２Ａ及び２Ｂの紛失をも防止することができる。
【００５１】
またヘッドホン装置１は、未使用時、ヘッドホン２のヘッドホンコード３Ｃを筐体３の内部に収納することにより、ヘッドホン２及びヘッドホンコード２Ｃが腰部付近で邪魔になることがなく、未使用時においても携帯性及びファッション性を向上させることができる。
【００５２】
なおヘッドホン装置１は、ユーザの衣服に装着された場合、カラビナ５の松葉紐８を介して連結された携帯型音楽プレーヤＰＬと、カラビナ５に取付けられている筐体３とが、ユーザの歩行時等に揺れて相互に衝突するが、そのような場合であっても筐体３に保護カバー６が被覆されているので、筐体３及び携帯型音楽プレーヤＰＬの表面が傷付いたり、破損することを未然に防止することができる。
【００５３】
以上の構成によれば、ヘッドホン装置１は携帯性と操作性とを同時に兼ね備えた構造によって、従来よりも一段と優位性及びユーザフレンドリー性を向上させることができる。
【００５４】
（１−４）第１の実施の形態に対する他の実施の形態
なお上述の第１の実施の形態においては、ユーザに装着するためのカラビナ５に対して取り付けられた松葉紐８を介して携帯型音楽プレーヤＰＬを連結させるようにした場合について述べたが、本発明はこれに限らず、筐体３の下方に松葉紐８を取り付け、その松葉紐８を介して携帯型音楽プレーヤＰＬを連結させるようにしても良い。
【００５５】
その場合、図１３に示すように、筐体３に対して松葉紐８を取り付けるための取付機構４０を、ヘッドホンコード２Ｃの巻取機構２０（図８及び図９）とは別に筐体３の内部に設けるようになされている。
【００５６】
この取付機構４０では、筐体３のほぼ中央に設けられた洗濯バサミ状でなるホルダ４１が２つの腕部４１Ａ及び４１Ｂを有し、その腕部４１Ａ及び４１Ｂの先端部４１ＡＳ及び４１ＢＳを、支点４１ＡＴ及び４１ＢＴを介して開閉し得るようになされている。なお取付機構４０では通常時、腕部４１Ａの先端部４１ＡＳ及び腕部４１Ｂの先端部４１ＢＳがバネ４１Ｃの付勢力により閉じられた状態にある。
【００５７】
従ってホルダ４１は、通常時、その先端部４１ＡＳ及び４１ＢＳの内側で松葉紐保持部４３をホールドしており、その松葉紐保持部４３によって保持されている松葉紐８が筐体３の下方からぶら下げられるようになされている。
【００５８】
この松葉紐保持部４３は、図１４に示すように、全体が略円筒形状でなり、その底部に松葉紐８だけを通す小さな貫通孔４３Ａ（図１３）が設けられていると共に、上部にはホルダ４１の先端部４１ＡＳ及び４１ＢＳで保持されるための鍔部４３Ｂ（図１４）が形成されている。
【００５９】
松葉紐８は、その一方に、所定サイズの球形状でなる玉部８Ａが設けられており、これが松葉紐保持部４３の底部で抜け落ちを防止するためのストッパーとして機能するようになされている。従って、ユーザは松葉紐８を松葉紐保持部４３から取り出して、紐の途中で結び目を作れば、そこが玉部８Ａに代わってストッパーとしての役割を担うことになり、それにより筐体３の下方からぶら下がる松葉紐８の長さを調整し得るようになされている。
【００６０】
この松葉紐保持部４３は、筐体３の下方からホルダ４１の内部へ押し込まれたとき、鍔部４３Ａの周側面でホルダ４１の腕部４１Ａ及び４１Ｂにおける先端部４１ＡＳ及び４１ＢＳを押し広げ、その先端部４１ＡＳ及び４１ＢＳにおける鉤部４１ＡＦ及び４１ＢＦと鍔部４３Ｂとが係合した結果、ホルダ４１に保持されるようになされている。
【００６１】
一方、２つの腕部４１Ａ及び４１Ｂでは、先端側へ行くに連れて腕部４１Ａ及び４１Ｂにより挟まれた内側空間が次第に狭くなるように傾斜が付けられたテーパー形状に形成されており、逆Ｔ字状に形成されたスライダ４４の取外ボタン４５が矢印方向の下方へスライド操作された際、バネ４１Ｃの付勢力に抗して腕部４１Ａ及び４１Ｂの間隔が押し広げられ、その結果、松葉紐保持部４３の鍔部４３Ｂとホルダ４１の鉤部４１ＡＦ及び４１ＢＦとの係合状態が解除され、ホルダ４１から松葉紐保持部４３が取り外されるようになされている。
【００６２】
なおスライダ４４は、通常時、スライダバネ４６によって上方へ付勢されており、取外ボタン４５が下方へ押し下げられない限り、ホルダ４１における腕部４１Ａ及び４１Ｂの間隔が押し広げられることはないようになされている。すなわち、ホルダ４１に松葉紐保持部４３が一度取り付けられた後は、スライダ４４が取外ボタン４５を介して下方へ押し下げられない限り、ホルダ４１から松葉紐保持部４３が取り外されることはない。
【００６３】
もちろん、この場合も松葉紐保持部４３から松葉紐８を取り外し、その松葉紐８をカラビナ５に取り付ければ、松葉紐８を介してカラビナ５に携帯型音楽プレーヤＰＬを取り付けることもできる。
【００６４】
このようにヘッドホン装置１では、筐体３の下方にぶら下げられた松葉紐８を介して携帯型音楽プレーヤＰＬを直列的に連結させることができると共に、松葉紐８を介してカラビナ５に携帯型音楽プレーヤＰＬを取り付けることもできるので、筐体３に対して携帯型音楽プレーヤＰＬを取り付ける際の自由度を広げることができる。
【００６５】
また上述の第１の実施の形態においては、筐体３の裏面３Ｂから引き出された接続コード７を保護カバー６の接続コード巻付部６Ｄと保護カバー６の表面６Ｅとの間に巻き付けることにより、その長さを調整するようにした場合について述べたが、本発明はこれに限らず、筐体３の内部にコード収納空間を設け、そこに不要なコード部分を収納することにより、その長さを調整するようにしても良い。
【００６６】
この場合、図１５（Ａ）に示すように、例えば筐体３の内部に設けられた取付機構４０の隣にコード収納空間５０が形成された構造が考えられる。従ってユーザは、筐体３の下方から接続コード７の不要なコード部分をそのコード収納空間５０に押し込むことにより、その長さを調整することができる。
【００６７】
なお図１５（Ｂ）に示すように、筐体３では、コード収納空間５０に接続コード７を収納する際の開口部５１が例えば瓢箪型に形成されており、接続コード７におけるコード部分の直径よりも大きな収納部５１Ａを介して当該コード部分がコード収納空間５０に押し込まれた後、そのコード部分の直径よりも小さな保持部５１Ｂへ押し込まれることにより、コード部分の表面が僅かに押し潰された状態で保持されるようになされている。
【００６８】
従って、ユーザは接続コード７をユーザ所望の好きな長さに調整した後、開口部５１の保持部５１Ｂで保持させることができるので、コード部分の余りが筐体３の外部に露出することなく、その長さを自在に調整することができる。
【００６９】
さらに上述の第１の実施の形態においては、ヘッドホン２のヘッドホンコード２Ｃを筐体３内部のリール２１に巻き取らせた場合、そのヘッドホン２の耳装着部２Ａ及び２Ｂを筐体３の開口部で保持するようにした場合について述べたが、本発明はこれに限らず、筐体３の表面に設けられた所定形状でなる保持部を介して耳装着部２Ａ及び２Ｂを取付固定するようにしても良い。
【００７０】
例えば図１６に示すように、筐体３の表面に取付固定用の凸部５５Ａ及び５５Ｂが設けられた構造が考えられる。この場合、凸部５５Ａ及び５５Ｂに対してヘッドホン２の耳装着部２Ａ及び２Ｂが嵌め込まれることにより、当該ヘッドホン２のヘッドホンコード２Ｃが筐体３内部のリール２１に巻き取られた状態で耳装着部２Ａ及び２Ｂが筐体３の表面に取付固定されることになる。
【００７１】
また、これ以外にも、筐体３の表面にヘッドホン２の耳装着部２Ａ及び２Ｂを取付固定するための２個の凹部（図示せず）が設けられた構造についても考えられる。この場合も、同様に、２個の凹部に対してヘッドホン２の耳装着部２Ａ及び２Ｂが嵌め込まれることにより、当該ヘッドホン２のヘッドホンコード２Ｃが筐体３内部のリール２１に巻き取られた状態で耳装着部２Ａ及び２Ｂが筐体３の表面に取付固定されることになる。
【００７２】
（２）第２の実施の形態
（２−１）第２の実施の形態におけるヘッドホン装置の外観構成
図１乃至図３との対応部分に同一符号を付した図１７乃至図１９において、１００は全体として本発明における第２の実施の形態におけるヘッドホン装置を示し、ヘッドホン２のヘッドホンコード２Ｃ（図示せず）が円筒形状でなる筐体１０１内の巻取機構２０（図８及び図９）によって巻き取られた状態であり、筐体１０１の上端部でユーザ装着用のカラビナ１０２が一体的に取り付けられた構造を有する。
【００７３】
このカラビナ１０２は、略Ｕ字状でなり、筐体１０１の上端部で一体に取り付けられているため、第１の実施の形態におけるヘッドホン装置１のようにヘッドホン２と筐体３とが別体構造となっているのとは異なり、ヘッドホン装置１００全体でズボンのベルト通しに装着可能な一体感を作り出している。
【００７４】
またカラビナ１０２は、その一部である腕部１０４が支点１０３を中心に内側へ折り曲げ可能な構造を有し、通常は支点１０３の内部に設けられたバネ（図示せず）の不勢力によって腕部１０４が略逆Ｕ字状の一辺を形成しているが、ユーザによって押されたときは、その不勢力に抗して腕部１０４が略逆Ｕ字状の内側へ折り曲げられ、ズボンのベルト通しに取り付けられるようになされている。
【００７５】
なお、このカラビナ１０２においても、ズボンのベルト通しに取り付けられることを想定しているが、必ずしも、それだけでなく、ヘッドホン２に対して音楽信号等を供給する携帯型音楽プレーヤＰＬが松葉紐８を介して当該カラビナ１０２に取り付けられたり、当該カラビナ１０２に鍵、その他の物が取り付けられることまでも想定した強度に形成されている。
【００７６】
またヘッドホン装置１００では、筐体１０１の上端部であって、カラビナ１０２の内側に設けられた開口部１０５を介してヘッドホン２の先端部分にある耳装着部２Ａ及び２Ｂが保持されており、開口部３Ａのサイズよりも耳装着部２Ａ及び２Ｂのサイズが大きいため、巻取ボタン９（図１８及び図１９）に対する下方へのスライド操作に応じて巻取機構が動作することによりヘッドホン２のヘッドホンコード２Ｃ（図示せず）が巻き取られた際、当該ヘッドホン２の耳装着部２Ａ及び２Ｂが筐体１０１の内部に収納されてしまい、取り出せなくなることを未然に防止するようになされている。
【００７７】
同時にヘッドホン装置１００では、ヘッドホン２のヘッドホンコード２Ｃ（図示せず）が筐体１０１の内部に巻き取られたとき、筐体１０１の上端部とカラビナ１０２の内側とによって作られた空間にヘッドホン２の耳装着部２Ａ及び２Ｂが位置することになるため、その耳装着部２Ａ及び２Ｂをカラビナ１０２によって外部から保護し得るようになされている。
【００７８】
更にヘッドホン装置１００は、筐体１０１の表面にゴム製の保護カバー１０６が取付けられており、これによりカラビナ１０２を介して筐体１０１と携帯型音楽プレーヤ（図示せず）とが並んだ状態で取り付けられた際、筐体１０１と携帯型音楽プレーヤとが接触したり、衝突したときに、双方に傷が付くこと、及び双方が破損することを未然に防止するようになされている。
【００７９】
ところで、ヘッドホン装置１００の筐体１０１は、その裏面の巻取ボタン９の近傍から、例えば携帯型音楽プレーヤＰＬ（図示せず）等の電子機器と電気的に接続するための接続コード７が保護カバー１０６のコード穴１０６Ｃ（図１９）を通って引き出されている。
【００８０】
一方、筐体１０１を被覆する保護カバー１０６は、ほぼ中央部に巻取ボタン９がスライド操作されたときの移動範囲に対応したサイズでなる縦長楕円形状でなるスライド操作穴１０６Ａが形成されている。
【００８１】
従ってヘッドホン装置１００では、筐体１０１に保護カバー１０６が被覆された状態で完成形となり、筐体１０１の接続コード７が保護カバー１０６のコード穴１０６Ｃを通って外部に露出し、巻取ボタン９がスライド操作穴１０６Ａを介して外部に露出するようになされている。
【００８２】
また保護カバー１０６は、スライド操作穴１０６Ａの周囲に薄板状でかつドーナッツ形状でなる接続コード巻付部１０６Ｄが当該保護カバー１０６の表面１０６Ｅから僅かに突出した状態で形成されており、図１８に示したように、コード穴１０６Ｃから露出した接続コード７を接続コード巻付部１０６Ｄと表面１０６Ｅとの間に巻き付けることができる構造となっている。
【００８３】
これによりヘッドホン装置１００は、保護カバー１０６のコード穴１０６Ｃから外部に露出した接続コード７を接続コード巻付部１０６Ｄと表面１０６Ｅとの間に巻き付けることにより、その長さを短く調整し得ると共に、接続コード７を接続コード巻付部１０６Ｄと表面１０６Ｅとの間に巻き付けないときには、その長さを最大限長く用いることが出来るようになされている。
【００８４】
このとき保護カバー１０６が弾力性のあるゴム製で形成されているため、接続コード７が保護カバー１０６の弾性力によって接続コード巻付部１０６Ｄと表面１０６Ｅとの間に挟み付けられた状態となって、任意に長さ調整された位置で保持されるようになされている。
【００８５】
また接続コード巻付部１０６Ｄは、保護カバー１０６の表面１０６Ｅから僅かに突出した状態で形成されているため、スライド操作穴１０６Ａの内側で露出した巻取ボタン９が接続コード巻付部１０６Ｄの表面から突出することがなく、不用意に巻取ボタン９が操作されてしまうことを未然に防止するようになされている。
【００８６】
更に加えて、巻取ボタン９が押下操作式のボタンではなく、スライド操作式のボタンとして設けられているため不用意に操作され難く、接続コード巻付部１０６Ｄの面から巻取ボタン９が突出しない構造と相まって、二重の誤操作防止機構が構成されている。
【００８７】
実際上、図２０に示すようにヘッドホン装置１００は、保護カバー１０６によって被覆された筐体１０１と一体化されたカラビナ１０２に対し松葉紐８を介して携帯型音楽プレーヤＰＬが取り付けられるようになされている。
【００８８】
そしてヘッドホン装置１００では、筐体１０１から保護カバー１０６のコード穴１０６Ｃを介して露出した接続コード７のプラグ７Ａを携帯型音楽プレーヤＰＬのジャックＰＬＪに差し込むことにより、当該ヘッドホン装置１００と携帯型音楽プレーヤＰＬとを機械的かつ電気的にも接続し得るようになされている。
【００８９】
従ってヘッドホン装置１００は、この状態でカラビナ１０２がズボンのベルト通しに取り付けられれば、ユーザがヘッドホン装置１００及び携帯型音楽プレーヤＰＬを携帯しながら、当該携帯型音楽プレーヤＰＬによって再生された音楽信号を接続コード７を介してヘッドホン２に供給し、当該ヘッドホン２の耳装着部２Ａ及び２Ｂを介して音楽をユーザに聴取させ得るようになされている。
【００９０】
（２−２）第２の実施の形態におけるヘッドホン装置の巻取機構
ヘッドホン装置１００の筐体１０１内部に設けられた巻取機構の構造については、第１の実施の形態におけるヘッドホン装置１の巻取機構と同じであるため、ここでは便宜上その説明を省略する。
【００９１】
（２−３）動作及び効果
以上の構成において、ヘッドホン装置１００は、カラビナ１０２を介して例えばズボンのベルト通しに筐体１０１を装着することができ、その状態でヘッドホン２の耳装着部２Ａ及び２Ｂをユーザによって引っ張り出させることによりヘッドホンコード２Ｃをユーザ所望の長さに調整させることができる。
【００９２】
その状態でヘッドホン装置１００は、松葉紐８によりカラビナ１０２に連結された携帯型音楽プレーヤＰＬにより再生される音楽をヘッドホン２の耳装着部２Ａ及び２Ｂから出力し、ユーザに聴取させることができる。
【００９３】
これによりヘッドホン装置１００では、使用時、携帯型音楽プレーヤＰＬがユーザの胸元に位置することがないため、従来のように、ユーザの首からストラップを介して胸元に携帯型音楽プレーヤＰＬが吊り下げられることがなく、そのことで胸元に圧迫感を感じたり、違和感を生じさせたり、階段昇降時等に胸への圧迫感を感じさせたり、上着を脱ぐときに邪魔になったり、屈んだ状態で手を洗うときに洗面所の水に携帯型音楽プレーヤＰＬが浸かりそうになる等、不便なことを全て解消することができる。
【００９４】
またヘッドホン装置１００は、従来のように、衣服の胸ポケットに入れられた携帯型音楽プレーヤＰＬに接続して用いられる場合、屈んだ際に携帯型音楽プレーヤＰＬが落下する恐れや、携帯型音楽プレーヤＰＬの重さや大きさ等の制限により着用する洋服が制限されてしまうという事態をも回避することができる。
【００９５】
さらにヘッドホン装置１００は、手の位置に近いユーザの腰部で携帯型音楽プレーヤＰＬを身に付けることができるので、ユーザに対して曲名表示や、音量・選曲操作等の便利な機能に対する操作を容易に実行させることができ、当該ユーザに対する利便性を大幅に向上させている。
【００９６】
なおヘッドホン装置１００は、カラビナ１０２と一体化された筐体１０１を、当該カラビナ１０２を介して直接ユーザの衣服に取り付けられることに加えて、携帯型音楽プレーヤＰＬについてもカラビナ１０２を介して取り付けられる構造であるため、筐体１０１及び携帯型音楽プレーヤＰＬがカラビナ１０２を介して並列に取り付けられることになり、ズボンのベルト通しにカラビナ１０２を介して取り付けられた際、いわゆるキーホルダのように筐体１０１、携帯型音楽プレーヤＰＬが並ぶことになり、使用時のファッション性をも向上させることができる。
【００９７】
その後、ヘッドホン装置１００は、ユーザに対して筐体１０１の巻取ボタン９をスライド操作させるだけで、瞬時にヘッドホン２のヘッドホンコード２Ｃを筐体１０１の内部に巻き取ることができる。
【００９８】
このときヘッドホン装置１００では、ヘッドホン２の耳装着部２Ａ及び２Ｂを筐体１０１の開口部１０５の位置で保持すると共に、筐体１０１とカラビナ１０２とによって作り出される空間に耳装着部２Ａ及び２Ｂを位置させることにより、当該耳装着部２Ａ及び２Ｂをカラビナ１０２により保護し得ると共に、耳装着部２Ａ及び２Ｂの紛失をも防止することができる。
【００９９】
またヘッドホン装置１００は、未使用時、ヘッドホン２のヘッドホンコード２Ｃを筐体１０１の内部に収納することにより、ヘッドホン２及びヘッドホンコード２Ｃが腰部付近で邪魔になることがなく、未使用時においても携帯性及びファッション性を向上させることができる。
【０１００】
なおヘッドホン装置１００は、ユーザの衣服に装着された場合、カラビナ１０２の松葉紐８を介して連結された携帯型音楽プレーヤＰＬと、カラビナ１０２と一体化された筐体１０１とが、ユーザの歩行時等に揺れて相互に衝突するが、そのような場合であっても筐体１０１に保護カバー１０６が被覆されているので、筐体１０１及び携帯型音楽プレーヤＰＬの表面が傷付いたり、破損することを未然に防止することができる。
【０１０１】
以上の構成によれば、ヘッドホン装置１００は携帯性と操作性とを同時に兼ね備えた構造によって、従来よりも一段と優位性及びユーザフレンドリー性を向上させることができる。
【０１０２】
（２−４）第２の実施の形態に対する他の実施の形態
なお上述の第２の実施の形態においては、ユーザに装着するためのカラビナ１０２に対して取り付けられた松葉紐８を介して携帯型音楽プレーヤＰＬを連結するようにした場合について述べたが、本発明はこれに限らず、第１の実施の形態におけるヘッドホン装置１の筐体３と同様、図１３の対応部分に同一符号を付した図２１に示すように、筐体１０１の下方に取付機構４０を介して松葉紐８を取り付け、その松葉紐８を介して筐体１０１と携帯型音楽プレーヤＰＬとを連結させるようにしても良い。この松葉紐８の取付機構４０としては、図１２で示した取付機構４０と同じ構造であるため、ここでは便宜上その説明を省略する。
【０１０３】
また上述の第２の実施の形態においては、筐体１０１の裏面から引き出された接続コード７を保護カバー１０６のコード巻取部１０６Ｄと保護カバー１０６の表面１０６Ｅとの間に巻き付けることにより、その長さを調整するようにした場合について述べたが、本発明はこれに限らず、図１５の対応部分に同一符号を付した図２２に示すように、筐体１０１の内部にコード収納空間５０を設け、そこに不要なコード部分を収納することにより、その長さを調整するようにしても良い。この場合もコード収納空間５０としては、図１５で示したコード収納空間５０と同じ構造であるため、ここでは便宜上その説明を省略する。
【０１０４】
（３）第１及び第２の実施の形態に対する他の実施の形態
なお上述の第１及び第２の実施の形態においては、カラビナ５又はカラビナ１０２を介してヘッドホン装置１又はヘッドホン装置１００がズボンのベルト通しに取り付けられるようにした場合について述べたが、本発明はこれに限らず、必ずしもユーザの衣類だけでなく、鞄等のユーザが所持する物等に取り付けられるようにしても良い。
【０１０５】
さらに上述の第１及び第２の実施の形態においては、接続コード７を接続コード巻付部６Ｄ、１０６Ｄと表面６Ｅ、１０６Ｅとの間に巻き付けることにより、その長さを調整するようにした場合について述べたが、本発明はこれに限らず、図２３及び図２４に示すように接続コード７の代わりにカールコード１５０を用いるようにしても良い。
【０１０６】
さらに上述の第１及び第２の実施の形態においては、接続コード７を略円形状でなる接続コード巻付部６Ｄ、１０６Ｄと表面６Ｅ、１０６Ｅとの間に巻き取ることにより、その長さを調整するようにした場合について述べたが、本発明はこれに限らず、接続コード７を巻き取ることができる構造であれば、円形状以外の矩形状等その他種々の形状でなる接続コード巻付部と表面６Ｅ、１０６Ｅとの間に巻き取るようにしても良い。
【０１０７】
さらに上述の第１及び第２の実施の形態においては、爪車３１のロック用爪部３２とロックレバー３３の先端部との係合状態が解除されたときにヘッドホン２のヘッドホンコード２Ｃをリール２１に巻き取る巻取機構２０を用いるようにした場合について述べたが、本発明はこれに限らず、いわゆるボールベアリングを用いた巻取機構を用いたり、その他種々の構造でなる巻取機構を用いるようにしても良い。
【０１０８】
さらに上述の第１及び第２の実施の形態においては、装着手段及びフックとしてのカラビナ５が略三角形状の閉じられた内側空間にズボンのベルト通しを引っ掛ける構造とし、また装着手段及びフックとしてのカラビナ１０２についても筐体１０１と一体化されたことにより形成された略逆Ｕ字状の内側空間にズボンのベルト通しを引っ掛ける構造とした場合について述べたが、本発明はこれに限らず、図２５に示すような途中のネジ部１５５Ａで取り外し可能なワイヤー１５５を装着手段として用いたり、或いは閉じられた内側空間を有さない一般的な鉤状でなるフックやその他種々の形状でなる装着手段によりユーザに装着するようにしてもよい。
【０１０９】
さらに上述の第１及び第２の実施の形態においては、連結部として松葉紐８を用いるようにした場合について述べたが、本発明はこれに限らず、針金状の紐、鎖等、携帯型音楽プレーヤＰＬを連結することができれば、その他種々の構造でなる連結部を用いるようにしても良い。
【産業上の利用可能性】
【０１１０】
本発明のヘッドホン装置は、携帯型音楽プレーヤ以外の例えば音楽再生機能を持った携帯電話機や小型モバイルコンピュータ等のその他種々の電子機器に適用することができる。
【図面の簡単な説明】
【０１１１】
【図１】第１の実施の形態におけるヘッドホン装置の外観構成（１）を示す略線的斜視図である。
【図２】第１の実施の形態におけるヘッドホン装置の外観構成（２）を示す略線的斜視図である。
【図３】第１の実施の形態におけるヘッドホン装置の外観構成（３）を示す略線的斜視図である。
【図４】カラビナの構造を略線的斜視図である。
【図５】筐体の裏面及び保護カバーの構造を示す略線的斜視図である。
【図６】接続コードの長さ調整方法の説明に供する略線的斜視図である。
【図７】第１の実施の形態におけるヘッドホン装置の携帯型音楽プレーヤ装着状態を示す略線的斜視図である。
【図８】巻取機構の構造を示す略線図である。
【図９】リールの断面構造を示す略線的断面図である。
【図１０】巻取ボタンと操作ボタンとの関係を示す略線図である。
【図１１】ヘッドホンコードの巻取方法の説明に供する略線的斜視図である。
【図１２】リールと開口部との関係を示す略線的断面図である。
【図１３】他の実施の形態における松葉紐の取付機構（１）を示す略線図である。
【図１４】松葉紐保持部の構造を示す略線的斜視図である。
【図１５】他の実施の形態における接続コードの収納構造（１）を示す略線図である。
【図１６】他の実施の形態における接続コードの取付固定方法の説明に供する略線図である。
【図１７】第２の実施の形態におけるヘッドホン装置の外観構成（１）を示す略線的斜視図である。
【図１８】第２の実施の形態におけるヘッドホン装置の外観構成（２）を示す略線的斜視図である。
【図１９】第２の実施の形態におけるヘッドホン装置の外観構成（３）を示す略線的斜視図である。
【図２０】第２の実施の形態におけるヘッドホン装置の携帯型音楽プレーヤ装着状態を示す略線的斜視図である。
【図２１】他の実施の形態における松葉紐の取付機構（２）を示す略線図である。
【図２２】他の実施の形態における接続コードの収納構造（２）を示す略線図である。
【図２３】他の実施の形態におけるカールコード（１）を示す略線図である。
【図２４】他の実施の形態におけるカールコード（２）を示す略線図である。
【図２５】他の実施の形態におけるワイヤーを示す略線図である。
【符号の説明】
【０１１２】
１、１００……ヘッドホン装置、２……ヘッドホン、３、１０１……筐体、４……ホルダ、５、１０２……カラビナ、６、１０６……保護カバー、７……接続コード、８……松葉紐、９……巻取ボタン、２１……リール、２２……取付板、２３……支軸、２４……凹部、２５……ぜんまいバネ、３１……爪車、３２……ロック用爪部、３３……ロックレバー、３４、１０３……支点、３５……バネ、４０……長さ調整機構、４１……ホルダ、４３……松葉紐保持部、４４……スライダ、４５……取外ボタン、４６……スライダバネ、５０……コード収納部、１０４……腕部、１０５……開口部。
【図１】
2008098925.tif 000003
【図２】
2008098925.tif 000004
【図３】
2008098925.tif 000005
【図４】
2008098925.tif 000006
【図５】
2008098925.tif 000007
【図６】
2008098925.tif 000008
【図７】
2008098925.tif 000009
【図８】
2008098925.tif 000010
【図９】
2008098925.tif 000011
【図１０】
2008098925.tif 000012
【図１１】
2008098925.tif 000013
【図１２】
2008098925.tif 000014
【図１３】
2008098925.tif 000015
【図１４】
2008098925.tif 000016
【図１５】
2008098925.tif 000017
【図１６】
2008098925.tif 000018
【図１７】
2008098925.tif 000019
【図１８】
2008098925.tif 000020
【図１９】
2008098925.tif 000021
【図２０】
2008098925.tif 000022
【図２１】
2008098925.tif 000023
【図２２】
2008098925.tif 000024
【図２３】
2008098925.tif 000025
【図２４】
2008098925.tif 000026
【図２５】
2008098925.tif 000027